(57)【要約】【課題】  トリガ電極や絶縁物の沿面放電を利用することなく、パルスアーク放電を発生させることができる装置および方法を提供する。【解決手段】  この真空アーク蒸発装置５０は、真空アーク放電によって陰極１２を加熱してその前面１４から陰極物質１６を蒸発させる真空アーク蒸発源１０と、それにパルスアーク電圧ＶA を印加するパルスアーク電源３６とを備えている。更に、陰極１２を貫通して設けられていてその後面から前面１４に向けてガス２４を通す管状の穴であって、陰極の前面１４につながっていて他の部分よりも直径の大きい管状の大径部２０ａを有するガス導入穴２０と、この大径部２０ａの内壁と斜めに交差する磁界を発生させる永久磁石２８（磁界発生器）とを備えている。【選択図】  図１
2005290405.tif 000002
【特許請求の範囲】
【請求項１】
真空中におけるアーク放電によって陰極を加熱して陰極の前面から陰極物質を蒸発させる真空アーク蒸発源と、この真空アーク蒸発源にパルス状のパルスアーク電圧を印加するパルスアーク電源とを備える真空アーク蒸発装置において、
前記真空アーク蒸発源の陰極を貫通して設けられていて陰極の後面から前面に向けてガスを通す管状の穴であって、当該陰極の前面につながっていて他の部分よりも直径の大きい管状の大径部を有するガス導入穴と、
このガス導入穴の大径部の内壁と斜めに交差する磁界を発生させる磁界発生器とを備えていることを特徴とする真空アーク蒸発装置。
【請求項２】
前記ガス導入穴の中心軸と前記磁界発生器の中心軸とを互いにずらして配置している請求項１記載の真空アーク蒸発装置。
【請求項３】
前記ガス導入穴の大径部の直径は２ｍｍ〜１０ｍｍであり、前記磁界発生器は、前記陰極の前面において、前記陰極の半径方向の成分が５ｍＴ以上の磁界を発生させるものである請求項１または２記載の真空アーク蒸発装置。
【請求項４】
前記磁界発生器が永久磁石である請求項１ないし３のいずれかに記載の真空アーク蒸発装置。
【請求項５】
前記永久磁石を前記陰極に内蔵している請求項４記載の真空アーク蒸発装置。
【請求項６】
前記陰極をその後面で支持するものであって非磁性金属から成る陰極支持体を有しており、この陰極支持体に前記永久磁石を内蔵している請求項４記載の真空アーク蒸発装置。  
【請求項７】
前記磁界発生器がコイルである請求項１ないし３のいずれかに記載の真空アーク蒸発装置。
【請求項８】
前記コイルが、前記パルスアーク電源と前記真空アーク蒸発源との間に直列に接続されている請求項７記載の真空アーク蒸発装置。
【請求項９】
請求項１ないし８のいずれかに記載の真空アーク蒸発装置において、前記ガス導入穴にガスを通すと共に、前記陰極の前面近傍における圧力を１Ｐａ〜５０Ｐａの範囲内に保ち、前記パルスアーク電圧の印加によって前記ガス導入穴の大径部内でアーク放電の陰極点を発生させ、かつそれを前記磁界によって前記陰極の前面へ移動させ、それによって前記パルスアーク電圧に同期して前記アーク放電を自己点弧させてパルスアーク放電を発生させることを特徴とする真空アーク蒸発装置の運転方法。
【発明の詳細な説明】
【技術分野】
【０００１】
この発明は、例えば自動車部品、機械部品、工具、金型等の基体の表面に、例えば潤滑性や硬度等に優れた薄膜を形成すること等に用いられる真空アーク蒸発装置およびその運転方法に関し、より具体的には、当該装置を構成する真空アーク蒸発源においてパルスアーク放電を発生させる手段の改良に関する。
【背景技術】
【０００２】
従来のこの種の真空アーク蒸発装置は、真空中におけるアーク放電によって陰極を加熱して陰極の前面から陰極物質を蒸発させる真空アーク蒸発源と、この真空アーク蒸発源にアーク電圧を印加する直流のアーク電源とを備えている。
【０００３】
このような真空アーク蒸発装置において、基体上に形成する膜質の制御（例えば膜の密着性向上）等のために、アーク放電をパルス状に断続させるパルスアーク放電を発生させて、陰極物質の蒸発をパルス状に断続させたいという要望がある。
【０００４】
真空アーク蒸発源におけるアーク放電の点弧は、通常、特許文献１にも記載されているように、機械接触式のトリガ電極を機械的に駆動することによって行われる。
【０００５】
しかし、このようなトリガ電極を用いた真空アーク蒸発源では、パルスアーク放電を発生させることはできない。これは、トリガ電極の機械的駆動にある程度の時間を要し、それ以上の短周期で点弧を繰り返すことができないからである。また、トリガ電極の寿命もすぐに尽きてしまうからである。
【０００６】
一方、非特許文献１には、上記のような機械接触式のトリガ電極を用いずに、パルスアーク放電を発生させる技術が記載されている。この技術は、陰極とその周囲のトリガリングとの間に絶縁物を挟み、この絶縁物表面の抵抗を調整し、陰極とトリガリング間にパルス高電圧を印加することによって生じる、絶縁物表面における沿面放電でアーク点弧を行うものである。
【０００７】
【特許文献１】特開平１０−５３８６６号公報（段落００２８、図１）
【非特許文献１】石井孝也、外３名、「金属パルスイオン注入によるＴiＡl の高温耐酸化性向上」、電気学会放電研究会資料、２００１年１２月１０日、Ｖｏｌ．ＥＤ−０１、Ｎｏ．２５２−２６２、ｐ．１９−２２
【発明の開示】
【発明が解決しようとする課題】
【０００８】
上記非特許文献１に記載の技術は、パルスアーク放電を発生させることはできるけれども、次のような課題を有している。即ち、絶縁物を介した沿面放電によるアーク点弧では、沿面放電を生じさせる絶縁物表面の抵抗値が、アーク放電によって生じる陰極物質の付着によって、運転時間経過に伴って変化し、やがては沿面放電によるアーク点弧が不可能になる。従って寿命が短い。再使用のためには、絶縁物表面の洗浄および再度の抵抗値調整等が必要になり、非常に面倒である。
【０００９】
そこでこの発明は、トリガ電極や絶縁物の沿面放電を利用することなく、パルスアーク放電を発生させることができる装置および方法を提供することを主たる目的としている。
【課題を解決するための手段】
【００１０】
この発明に係る真空アーク蒸発装置は、真空中におけるアーク放電によって陰極を加熱して陰極の前面から陰極物質を蒸発させる真空アーク蒸発源と、この真空アーク蒸発源にパルス状のパルスアーク電圧を印加するパルスアーク電源とを備える真空アーク蒸発装置にあって、前記真空アーク蒸発源の陰極を貫通して設けられていて陰極の後面から前面に向けてガスを通す管状の穴であって、当該陰極の前面につながっていて他の部分よりも直径の大きい管状の大径部を有するガス導入穴と、このガス導入穴の大径部の内壁と斜めに交差する磁界を発生させる磁界発生器とを備えていることを特徴としている（請求項１に相当）。
【００１１】
この真空アーク蒸発装置によれば、ガス導入穴にガスを通した状態で、前記パルスアーク電源から前記真空アーク蒸発源にパルスアーク電圧を印加すると、当該パルスアーク電圧の波高値が高い期間に、前記ガス導入穴の大径部内でホローカソード放電が生じ、それによってアーク放電の陰極点が当該大径部内に（より具体的には、当該大径部内の内壁に）発生する。ホローカソード放電とは、簡単に言えば、穴を有する陰極の穴内で発生するイオン密度および電子密度の高いグロー放電のことである。
【００１２】
この大径部の内壁には、前記磁界発生器で発生させた磁界が斜めに交差しているので、当該磁界と内壁との成す角が、陰極の前面側に向かって鋭角になっている領域が存在する。このような領域におけるアーク放電の陰極点は、当該鋭角側に、即ち陰極の前面側に向かって移動する性質を有しているので、アーク放電の陰極点は大径部内から陰極の前面に出てくる。これが種となって、陰極の前面におけるアーク放電が自己点弧し、アーク放電が発生する。これによって、陰極を加熱して陰極物質を蒸発させることができる。
【００１３】
その後、パルスアーク電圧の波高値が、前記アーク放電を維持できる値以下の期間に入ると、前記アーク放電は自然に消滅する。その後再び、パルスアーク電圧の波高値が高い期間に入ると、前記と同様にアーク放電が自己点弧する。以降このようなアーク放電の断続が繰り返される。
【００１４】
以上のような作用によって、トリガ電極や絶縁物の沿面放電を利用することなく、パルスアーク電圧に同期したパルスアーク放電を発生させることができる。
【００１５】
前記斜めに交差する磁界を発生させるには、前記ガス導入穴の中心軸と前記磁界発生器の中心軸とを互いにずらして配置しても良い（請求項２に相当）。例えば、前記ガス導入穴を前記陰極の中心軸上に設け、前記磁界発生器の中心軸を前記陰極の中心軸からずらして配置しても良いし、前記ガス導入穴を前記陰極の中心軸からずらして設け、前記磁界発生器の中心軸を前記陰極の中心軸上に配置しても良い。
【００１６】
前記ガス導入穴の大径部の直径を２ｍｍ〜１０ｍｍとし、前記磁界発生器を、前記陰極の前面において、前記陰極の半径方向の成分が５ｍＴ以上の磁界を発生させるものにするのが好ましい（請求項３に相当）。そのようにすれば、前記アーク放電の自己点弧がより確実になる。
【００１７】
前記磁界発生器は、永久磁石でも良いし（請求項４に相当）、コイルでも良い（請求項７に相当）。
【００１８】
前記永久磁石は、前記陰極に内蔵しても良いし（請求項５に相当）、陰極支持体に内蔵しても良い（請求項６に相当）。後者にすれば、陰極交換時に永久磁石まで交換する必要がないので、陰極の交換が簡単になる。
【００１９】
前記コイルを、前記パルスアーク電源と前記真空アーク蒸発源との間に直列に接続しても良い（請求項８に相当）。そのようにすれば、パルスアーク電源から真空アーク蒸発源に流れるアーク電流によって前記コイルを励磁することができるので、前記コイル励磁専用の電源が不要になる。また、前記コイルのインダクタンスによって、アーク放電発生時のアーク電流を安定化させる作用効果も奏する。
【００２０】
この発明に係る運転方法は、前述したような真空アーク蒸発装置において、前記ガス導入穴にガスを通すと共に、前記陰極の前面近傍における圧力を１Ｐａ〜５０Ｐａの範囲内に保ち、前記パルスアーク電圧の印加によって前記ガス導入穴の大径部内でアーク放電の陰極点を発生させ、かつそれを前記磁界によって前記陰極の前面へ移動させ、それによって前記パルスアーク電圧に同期して前記アーク放電を自己点弧させてパルスアーク放電を発生させることを特徴としている（請求項９に相当）。これによって、真空アーク蒸発装置において、トリガ電極や絶縁物の沿面放電を利用することなく、パルスアーク電圧に同期したパルスアーク放電を発生させることができる。
【発明の効果】
【００２１】
以上のように請求項１〜８に記載の発明によれば、トリガ電極や絶縁物の沿面放電を利用することなく、パルスアーク電圧に同期したパルスアーク放電を発生させることができる。その結果、トリガ電極使用時の前記課題および絶縁物の沿面放電利用時の前記課題を解決しつつ、パルスアーク放電を発生させて、陰極物質の蒸発をパルス状に断続させることができる。
【００２２】
また、請求項３に記載の発明によれば、アーク放電の自己点弧がより確実になる、という更なる効果を奏する。
【００２３】
請求項６に記載の発明によれば、陰極交換時に永久磁石まで交換する必要がないので、陰極の交換が簡単になる、という更なる効果を奏する。
【００２４】
請求項８に記載の発明によれば、パルスアーク電源から真空アーク蒸発源に流れるアーク電流によって前記コイルを励磁することができるので、前記コイル励磁専用の電源が不要になると共に、前記コイルのインダクタンスによって、アーク放電発生時のアーク電流を安定化させることができる、という更なる効果を奏する。
【００２５】
請求項９に記載の発明によれば、真空アーク蒸発装置において、トリガ電極や絶縁物の沿面放電を利用することなく、パルスアーク電圧に同期したパルスアーク放電を発生させることができる。その結果、トリガ電極使用時の前記課題および絶縁物の沿面放電利用時の前記課題を解決しつつ、パルスアーク放電を発生させて、陰極物質の蒸発をパルス状に断続させることができる。
【発明を実施するための最良の形態】
【００２６】
図１は、この発明に係る真空アーク蒸発装置を備える薄膜形成装置の一例を示す概略図である。図２は、図１中の真空アーク蒸発源を拡大して示す断面図である。図３は、図２中の陰極支持体および永久磁石を下から見て示す図である。
【００２７】
この薄膜形成装置は、図示しない真空排気装置によって真空排気される真空容器２を備えている。この真空容器２内には、成膜しようとする基体４を保持するホルダ６が設けられており、これらには、必要に応じて、バイアス電源８から例えば−５０Ｖ〜−５００Ｖ程度の負のバイアス電圧を印加することができる。但し、ホルダ６および基体４にバイアス電圧を印加せずに、それらを接地電位にする場合もある。真空容器２は、この例では電気的に接地されている。
【００２８】
この薄膜形成装置は、更に、真空アーク蒸発源１０とパルスアーク電源３６とを有する真空アーク蒸発装置５０を備えている。
【００２９】
真空アーク蒸発源１０は、真空容器２の壁面に、ホルダ６上の基体４に向けて取り付けられている。この真空アーク蒸発源１０は、陽極（この例では真空容器２がそれを兼ねているが、陽極を別途設ける場合もある）と陰極１２との間で真空アーク放電（即ち、真空中におけるアーク放電）を生じさせて、当該アーク放電によって陰極１２を加熱してその前面（蒸発面とも呼ばれる）１４から陰極物質（即ち、陰極１２を構成する物質）１６を蒸発させて基体４の表面に薄膜を形成するものである。陽極兼用の真空容器２と陰極１２との間は電気的に絶縁されている。
【００３０】
陰極１２は、この例では、非磁性金属から成る陰極支持体１８に、その後面１５（即ち、前面１４と反対側の面。図２も参照）で支持されている。陰極支持体１８と真空容器２との間は絶縁物２２で絶縁されている。
【００３１】
この真空アーク蒸発源１０には、より具体的にはその陰極１２と陽極兼用の真空容器２との間には、パルスアーク電源３６から、インダクタ４２を直列に介して、パルス状のパルスアーク電圧ＶA が、陰極１２を負極側にして印加される。
【００３２】
パルスアーク電圧ＶA は、例えば、方形波電圧である。このパルスアーク電圧ＶA のパルス繰り返し数は、例えば、１００ｐｐｓ〜２０ｋｐｐｓである。パルスアーク電圧ＶA の電圧印加パルス幅は、例えば、５０μｓ〜２μｓである。パルスアーク電圧ＶA のデューティ比は、例えば、５％〜１％である。パルスアーク電圧ＶA の波高値は、例えば、１ｋＶ〜２ｋＶである。これらの値の組み合わせの代表例は、パルス繰り返し数が５ｋｐｐｓ、電圧印加パルス幅が９μｓ、デューティ比が４．５％、波高値が１ｋＶである。もっとも、パルスアーク電圧ＶA は、他の波形、例えば台形波電圧でも良い。
【００３３】
図２も参照して、陰極１２および陰極支持体１８には、それらを貫通していて、陰極１２の後面１５から前面１４に向けてガス２４を通す、即ち外部から真空容器２内へガス２４を通す、１本の管状のガス導入穴２０が設けられている。この例では、後述する永久磁石２８を押さえる磁石押さえ２６にも、上記ガス導入穴２０が貫通して設けられている。  
【００３４】
ガス２４の種類は、アルゴン等の不活性ガスでも良いし、陰極物質１６と反応して化合物を形成する反応性ガスでも良い。
【００３５】
前記ガス導入穴２０は、陰極１２の前面１４につながっていて他の部分よりも直径の大きい管状の大径部２０ａを有している。より具体的には、このガス導入穴２０は、陰極１２の前面１４につながる大径部２０ａと、それよりも直径の小さい小径部２０ｂとを有しており、二段構造になっている。ガス導入穴２０をこのような構造にすると、陰極１２の前面１４につながる大径部２０ａ内のみでホローカソード放電を発生させてアーク放電の陰極点３２を発生させることができるので、当該陰極点３２の前面１４への引き出しおよびそれによるアーク放電の自己点弧が容易になる。
【００３６】
大径部２０ａの直径（内径）は、２ｍｍ以上で１０ｍｍ以下が好ましい。この範囲内にすれば、大径部２０ａ内でホローカソード放電が安定して生じてアーク放電の陰極点３２が安定して発生しやすくなると共に、この陰極点３２が陰極１２の前面１４へ移動しやすくなるからである。即ち、２ｍｍ未満では、大径部２０ａ内でホローカソード放電が安定して生じにくく、アーク放電の陰極点３２が発生しにくい。１０ｍｍより大きいと、大径部２０ａ内で陰極点３２が発生してもそれが陰極１２の前面１４へ出にくくなる。
【００３７】
小径部２０ｂの直径（内径）は、１ｍｍ以下が好ましい。そのようにすると、小径部２０ｂ内でホローカソード放電が生じるのを防ぐことができるからである。
【００３８】
更にこの例では、ガス導入穴２０の大径部２０ａの内壁と斜めに交差する磁界を発生させる磁界発生器の一例として、そのような磁界を発生させる永久磁石２８を真空アーク蒸発源１０に設けている。この永久磁石２８が発生する磁界を、図２中に磁力線３０を用いて示している（図４および図６においても同様）。即ち、永久磁石２８は、大径部２０ａの内壁と角度θで斜めに交差する磁力線３０を発生させる。この角度θは、大径部２０ａの内壁面と、そこを交差する磁力線３０の接線との成す角度である。
【００３９】
永久磁石２８は、陰極１２の前面１４において、陰極１２の半径方向の成分が５ｍＴ以上の磁界を発生させるものが好ましい。そのようにすれば、当該磁界によって、大径部２０ａからアーク放電の陰極点３２を前面１４へ引き出しやすくなる。
【００４０】
この例では、永久磁石２８を、前記陰極支持体１８の後面近くに内蔵している（換言すれば、埋め込んでいる。以下同様）。しかも、前記のように斜めに交差する磁界を発生させるために、図２および図３からも分かるように、ガス導入穴２０の中心軸と永久磁石２８の中心軸とを互いにずらして配置している。より具体的には、この例では、ガス導入穴２０を陰極１２の中心軸上に設け、永久磁石２８の中心軸を陰極１２の中心軸からずらして配置している。永久磁石２８は、この例では平面形状がほぼ扇形をしているが（図３参照）、それに限定されない。
【００４１】
上記真空アーク蒸発装置５０の動作（運転方法）を説明すると、真空容器２内を真空排気しつつ、ガス導入穴２０にガス２４を通した状態で、前記パルスアーク電源３６から真空アーク蒸発源１０にパルスアーク電圧ＶA を印加する。このとき、陰極１２の前面近傍における圧力を１Ｐａ〜５０Ｐａの範囲内に保つのが好ましく、４Ｐａ〜２０Ｐａの範囲内に保つのがより好ましい。アーク放電の自己点弧がより確実になるからである。
【００４２】
上記パルスアーク電圧ＶA を印加すると、当該パルスアーク電圧ＶA の波高値が高い期間に、ガス導入穴２０の大径部２０ａ内でホローカソード放電が生じ、それによってアーク放電の陰極点３２が当該大径部２０ａ内に（より具体的には、当該大径部２０ａ内の内壁に）発生する。
【００４３】
この大径部２０ａの内壁には、永久磁石２８で発生させた磁界が斜めに交差しているので、当該磁界（磁力線３０で模式的に示す）と内壁との成す角θが、陰極１２の前面１４側に向かって鋭角になっている領域が存在する。このような磁界領域におけるアーク放電の陰極点３２は、当該鋭角側に、即ち陰極１２の前面１４側に向かって移動する性質を有しているので、アーク放電の陰極点３２は大径部２０ａ内から陰極１２の前面１４に出てくる。この前面１４に出てきた陰極点３２が種となって、陰極１２の前面１４におけるアーク放電が自己点弧し、アーク放電が発生する。これによって、陰極１２を加熱して陰極物質１６（図１参照）を蒸発させることができる。なお、上記アーク放電は、いずれも、前述したように、陽極兼用の真空容器２（図１参照。陽極を別途設ける場合は当該陽極）との間で発生する。
【００４４】
その後、パルスアーク電圧ＶA の波高値が、前記アーク放電を維持できる値以下の期間に入ると、前記アーク放電は自然に消滅する。その後再び、パルスアーク電圧ＶA の波高値が高い期間に入ると、前記と同様にアーク放電が自己点弧する。以降このようなアーク放電の断続が繰り返される。
【００４５】
以上のような作用によって、この真空アーク蒸発装置５０によれば、トリガ電極や絶縁物の沿面放電を利用することなく、パルスアーク電圧ＶA に同期したパルスアーク放電を発生させることができる。その結果、特許文献１に記載のようなトリガ電極使用時の前記課題、および、非特許文献１に記載のような絶縁物の沿面放電利用時の前記課題を解決しつつ、パルスアーク放電を発生させて、陰極物質１６の蒸発をパルス状に断続させることができる。
【００４６】
上記の場合、パルスアーク電源３６と真空アーク蒸発源１０との間に流れるアーク電流ＩA は、両者間にインダクタ４２を直列挿入しているので、三角波状になる。このインダクタ４２は、それへのエネルギーの蓄積および放出によって、アーク放電が発生している期間中にアーク電流ＩA を安定化する作用をするので、この例のように設けるのが好ましい。但し、後述するように、コイル３４にこのインダクタ４２を兼ねさせても良い。
【００４７】
なお、上記角θが陰極１２の前面１４に向かって鋭角になっている壁面と反対側の壁面では、当該角θが陰極１２の後面１５に向かって鋭角になっており、その領域で発生したアーク放電の陰極点は大径部２０ａの奥に向かって移動して消滅することになるが、それでも構わない。その反対側の壁面の陰極点３２は、上記のように陰極１２の前面１４に向かって移動して、それが前面１４におけるアーク放電の種になるからである。
【００４８】
前記磁界と大径部内壁との成す角θは、２０°以上の鋭角、即ち２０°≦θ＜９０°の範囲内にするのが好ましい。２０°より小さいと、磁界によってアーク放電の陰極点３２を陰極１２の前面１４に引き出す力が弱過ぎるからである。
【００４９】
磁界（磁力線）３０の向きは、図示例とは逆向きでも構わない。それでも、当該磁界と大径部２０ａの内壁との成す角θが陰極１２の前面１４に向かって鋭角になる領域ができ、その領域の陰極点３２は前面１４に向かって移動するからである。
【００５０】
前述したような磁界を発生させる永久磁石２８を、陰極１２に内蔵させても良い。その場合の永久磁石２８の配置およびそれが発生する磁界（磁力線３０）の一例を図４および図５に示す。円柱状（または円板状）の永久磁石２８を陰極１２の中心軸からずらして配置している。もっとも、図２に示す例の方が、陰極１２の交換時に永久磁石２８まで交換する必要がないので、陰極１２の交換が簡単になるという利点がある。
【００５１】
前述した磁界発生器は、コイルでも良い。その場合のコイル３４の配置およびそれが発生する磁界（磁力線３０）の一例を図６に示す。リング状のコイル３４を陰極１２の中心軸からずらして配置している。このコイル３４は、図示しない電源（直流電源）によって励磁するようにしても良いし、次に説明するようにしても良い。
【００５２】
即ち、コイル３４を用いる場合、当該コイル３４をパルスアーク電源３６と真空アーク蒸発源１０との間に直列に接続して、例えばパルスアーク電源３６と陰極支持体１８（それを設けない場合は陰極１２）との間に直列接続して、アーク放電時に流れるアーク電流ＩA によってコイル３４を励磁するようにしても良い。
【００５３】
そのようにすれば、アーク電流ＩA によってコイル３４を励磁することができるので、コイル励磁専用の電源が不要になる。また、コイル３４のインダクタンスによって、アーク放電発生時のアーク電流ＩA を安定化させる作用効果も奏する。従って、前記インダクタ４２を省くことも可能になる。
【００５４】
なお、陰極１２に設けるガス導入穴２０を陰極１２の中心軸から左右にずらして設け、磁界発生器を構成する永久磁石２８またはコイル３４の中心軸を陰極１２の中心軸上に配置しても良い。そのようにしても、陰極１２の大径部２０ａに前記のような斜めに交差する磁界を発生させることができる。その場合、永久磁石２８は、必要に応じて、リング状にしても良い。
【図面の簡単な説明】
【００５５】
【図１】この発明に係る真空アーク蒸発装置を備える薄膜形成装置の一例を示す概略図である。
【図２】図１中の真空アーク蒸発源を拡大して示す断面図である。
【図３】図２中の陰極支持体および永久磁石を下から見て示す図である。
【図４】真空アーク蒸発源の陰極周りの他の例を示す図である。
【図５】図４中の陰極および永久磁石を下から見て示す図である。
【図６】真空アーク蒸発源の他の例を示す断面図である。
【符号の説明】
【００５６】
１０  真空アーク蒸発源
１２  陰極
１４  前面
１６  陰極物質
１８  陰極支持体
２０  ガス導入穴
２０ａ  大径部
２４  ガス
２８  永久磁石（磁界発生器）
３０  磁力線
３２  陰極点
３４  コイル（磁界発生器）
３６  パルスアーク電源
５０  真空アーク蒸発装置
【図１】
2005290405.tif 000003
【図２】
2005290405.tif 000004
【図３】
2005290405.tif 000005
【図４】
2005290405.tif 000006
【図５】
2005290405.tif 000007
【図６】
2005290405.tif 000008